(57)【特許請求の範囲】
【請求項１】
ダイヤモンド象眼テンプル構造であって、
テンプル本体（１）とダイヤモンド（２）を含み、
前記ダイヤモンド（２）は、クラウン（２１）とガードル（２２）とパビリオン（２３）とキューレット（２４）を有し、
前記テンプル本体（１）は、弾性部材（３）を備えており、
前記弾性部材（３）は、装着者側の内側に曲がる弾力傾向があり、前記弾性部材（３）の両端の外側がバーとなってそれぞれ第１保持部（４）と第２保持部（５）を繋ぎ、
前記第１保持部（４）と前記第２保持部（５）の向かい合う端面にそれぞれ第１ノッチ（４１）と第２ノッチ（５１）が設けられており、
前記第１ノッチ（４１）と前記第２ノッチ（５１）が前記ダイヤモンド（２）のガードル（２２）を挟み、前記ダイヤモンド（２）の前記クラウン（２１）が前記第１保持部（４）と前記第２保持部（５）の外側に付けられ、前記弾性部材（３）の弾性力の作用によって前記ダイヤモンド（２）がクランプされ、
前記キューレット（２４）が、前記弾性部材（３）に当たる、
ダイヤモンド象眼テンプル構造。
【請求項２】
請求項１に記載のダイヤモンド象眼テンプル構造であって、
前記テンプル本体（１）、前記弾性部材（３）、前記第１保持部（４）、及び前記第２保持部（５）は一体型構造であり、
前記弾性部材（３）と前記第１保持部（４）の間、並びに前記弾性部材（３）と前記第２保持部（５）の間の輪郭が、切断した楕円形または波状或いは長方形の波状である、
ダイヤモンド象眼テンプル構造。
【請求項３】
請求項１又は２に記載のダイヤモンド象眼テンプル構造であって、
前記第１ノッチ（４１）と前記第２ノッチ（５１）の両側がそれぞれ前記ダイヤモンド（２）の前記クラウン（２１）と前記パビリオン（２３）に密着する、
ダイヤモンド象眼テンプル構造。
【請求項４】
請求項１に記載のダイヤモンド象眼テンプル構造を含むめがねであって、
フレーム（６）とヒンジ（７）をさらに含み、
前記フレーム（６）にレンズ（１０）を付ける智（８）とノーズパッド（９）を備えて、
前記ヒンジ（７）の両端にそれぞれ前記テンプル本体（１）と前記智（８）が止め付けられている、
めがね。
【請求項５】
請求項１に記載のダイヤモンド象眼テンプル構造の象眼方法であって、下記［１］から［３］の手順をこの順で含む象眼方法。
［１］一枚材料を選用し、ワイヤーカットでテンプル本体（１）を加工して、前記弾性部材（３）、前記第１保持部（４）、前記第２保持部（５）、前記第１ノッチ（４１）、及び前記第２ノッチ（５１）を仕上げる。
［２］前記弾性部材（３）を外側へ曲げて、前記ダイヤモンド（２）の前記ガードル（２２）が前記第１ノッチ（４１）と前記第２ノッチ（５１）に当たって、前記ダイヤモンド（２）が前記第１ノッチ（４１）又は前記第２ノッチ（５１）の真ん中に来るように、前記ダイヤモンド（２）を前記第１保持部（４）と前記第２保持部（５）の間におく。
［３］前記ダイヤモンド（２）の相対的な位置を変えずに前記弾性部材（３）を緩めると、前記ダイヤモンド（２）の前記キューレット（２４）が前記弾性部材（３）に当たり、前記弾性部材（３）の弾性力の作用によって前記第１保持部（４）と前記第２保持部（５）が前記ダイヤモンド（２）をクランプする。
【発明の詳細な説明】
【技術分野】
【０００１】
本発明は、ダイヤモンド象眼を施すめがね及び象眼方法に関わるもので、具体的に言えばダイヤモンド象眼を施すテンプル構造とめがね並びに象眼方法に関わるものである。
【背景技術】
【０００２】
人々の文化レベルや生活水準の向上に従って、視力保健活動の展開に伴って、めがねは人々の生活の中で重要な役割を果たしている。めがねとは主にレンズとフレームからなる。フレームの主要な役目はレンズを支えて人の眼前にかからせることであるが、顔を飾る美容性や装飾性もあるから、ファッションを追求するみんなのニーズを満たすために、ダイヤモンドを象眼するフレームが出てくる。既存のダイヤモンド象眼フレームはダイヤモンドをフレームに埋め込む。フレームとはリムとテンプルを含む。テンプルの外側に穴を掘削して、ダイヤモンドを穴の中に入れて、接着剤によってダイヤモンドとめがねを一体に接着される。ダイヤモンドを象眼する場合、時間がかかるし生産性が悪い。接着剤で貼り付けたダイヤモンドが脱落しやすい。
【発明の概要】
【０００３】
既存のダイヤモンド象眼フレームに現れた象眼作業効率の低い、ダイヤモンドの脱落しやすい問題を解決するために、本発明によってダイヤモンドを象眼するテンプル構造を提供すると同時に、めがねと象眼方法も提供できる。同テンプル構造なら、ダイヤモンド象眼作業を行う場合、時間節約で省力で、生産効率が高く、嵌め込んだダイヤモンドがしっかり固定されて脱落し難い。同象眼方法なら、作業工程が簡単で、操作が便利で、生産効率が高い。
【０００４】
本発明の技術的方案について、テンプル本体とダイヤモンドを含むダイヤモンド象眼テンプル構造であり、前記のダイヤモンドはクラウンとガードルとパビリオンがある。テンプル本体に弾性部材を備える。前記の弾性部材は内側に曲がる弾力傾向がある。弾性部材の両端の外側がバーとなってそれぞれ第１保持部と第２保持部を繋ぐ。第１保持部と第２保持部の向かい合う端面にそれぞれ第１ノッチと第２ノッチを設けておく。前記の第１ノッチと第２ノッチが対称しながらダイヤモンドのガードルに当たって、ダイヤモンドのクラウンが第１保持部と第２保持部の外側に付けられ、弾性部材の弾性力の作用によってダイヤモンドがしっかりクランプされる。
【０００５】
前記のダイヤモンドはキューレットがあり、キューレットが弾性部材に当てる。
【０００６】
前記のテンプル本体、弾性部材、第１保持部と第２保持部は一体型構造である。弾性部材と第１保持部の間、弾性部材と第２保持部の間の輪郭が切断した楕円形または等距離の波状或いは長方形の波状とする。
【０００７】
前記の第１ノッチと第２ノッチの両側はそれぞれダイヤモンドのクラウンとパビリオンに密着する。
【０００８】
前記のダイヤモンド象眼テンプル構造を含むめがねである。その他に、リムとヒンジが含まれる。リムにレンズを取り付けるし、智とノーズパッドを設けておく。ヒンジの両端にそれぞれテンプル本体と智を止める。
【０００９】
前記のダイヤモンド象眼テンプル構造に関わる象眼方法である。その手順は次のように示す。［１］一枚材料を選用する。ワイヤーカットでテンプル本体を加工して、弾性部材と、第１保持部・第２保持部及び第１ノッチ・第２ノッチを仕上げる。［２］弾性部材を外側へ曲がって、ダイヤモンドのガードルを第１ノッチと第２ノッチに当てて、ダイヤモンドが第１ノッチ又は第２ノッチの真ん中に来るように、ダイヤモンドを第１保持部と第２保持部の間におく。［３］ダイヤモンドの相対的な位置を変えず、弾性部材を緩めると、弾性部材の弾性力の作用によって第１保持部と第２保持部がダイヤモンドをしっかりクランプする。
【００１０】
本発明には以下のような有益な効果が挙げられる。前記方案を採用するなら、ダイヤモンド象眼テンプル構造とめがねにダイヤモンドを象眼する場合、時間節約で省力で、生産効率が高く、嵌め込んだダイヤモンドがしっかり固定されて脱落し難い。また、同象眼方法の作業工程が簡単で、操作が便利で、生産効率が高い。
【図面の簡単な説明】
【００１１】
【図１】添付図１は、本発明の概略ブロック図である。
【図２】添付図２は、図１の右側面図である。
【図３】添付図３は、図１におけるＡの拡大図である。
【図４】添付図４は、ダイヤモンド２の取付構造の第２実施形態図である。
【図５】添付図５は、ダイヤモンド２の取付構造の第３実施形態図である。
【符号の説明】
【００１２】
図面の中で、１−テンプル本体、２−ダイヤモンド、２１−クラウン、２２−ガードル、２３−パビリオン、２４−キューレット、３−弾性部材、４−第１保持部、４１−第１ノッチ、５−第２保持部、５１−第２ノッチ、６−リム、７−ヒンジ、８−智、９−ノーズパッド、１０−レンズ
【発明を実施するための形態】
【００１３】
以下、図面を参照して、本発明について詳細に説明する。
【００１４】
図１並びに図２〜図５に示すように、ダイヤモンド象眼テンプル構造であり、テンプル本体１とダイヤモンド２を含む。前記のダイヤモンド２はクラウン２１とガードル２２とパビリオン２３がある。ダイヤモンド２は円形又は正方形のものである。テンプル本体１が弾性部材３を備えて、前記の弾性部材３において内側に曲がる弾力傾向があり、つまり弾性部材３の中央部が内側にくぼむ弾性傾向である。内側とは顔に当たる側で、逆に外側と呼ぶ。弾性部材３の両端の外側がバーとなってそれぞれ第１保持部４と第２保持部５を繋ぎ、第１保持部４と第２保持部５の向かい合う端面にそれぞれ第１ノッチ４１と第２ノッチ（５１）を設けておき、前記の第１ノッチ４１と第２ノッチ５１が対称しながらダイヤモンド２のガードル２２に当たって、ダイヤモンド２のクラウン２１が第１保持部４と第２保持部５の外側に付けられ、弾性部材３の弾性力の作用によってダイヤモンド２がしっかりクランプされる。同ダイヤモンド象眼テンプル構造にダイヤモンド２を嵌め込むことは、時間節約で省力で生産効率が高く、ダイヤモンド２がしっかり固定されて脱落し難い。
【００１５】
図３に示すように、前記のダイヤモンド２はキューレット２４を持って、キューレット２４が弾性部材３に当たる。弾性部材３の弾性力がダイヤモンド２に作用して、ダイヤモンド２のクラウン２１と第１ノッチ４１の側面並びに第２ノッチ５１の側面に大きな摩擦力が生まれて、ダイヤモンド２が容易に動けなくなることによって、ダイヤモンド２の脱落を回避できる。
【００１６】
図１並びに図２、図３、図４、図５に示すように、前記のテンプル本体１、弾性部材３、第１保持部４と第２保持部５は一体型構造である。弾性部材３と第１保持部４の間、弾性部材３と第２保持部５の間の輪郭が切断した楕円形または等距離の波状或いは長方形の波状とする。弾性部材３の内側とテンプル本体１との間を円滑に移行することによって、弾性部材３の強さを保証する一方、快適で美しく着用できる。弾性部材３と第１保持部４の間、また、弾性部材３と第２保持部５の間の輪郭形状は、前記の形状に限らず、弾性部材３の弾性を比較的によく保証することを基にして、第１保持部４と第２保持部５の強さを保証し、ダイヤモンド２が第１保持部４と第２保持部５にしっかりクランプされるようにする。
【００１７】
図３、図４、図５に示すように、前記の第１ノッチ４１と第２ノッチ５１の両側が、ダイヤモンド２のクラウン２１とパビリオン２３に密着する。第１保持部４並びに第２保持部５のダイヤモンド２との接触箇所が増えて、ダイヤモンドが安定で緩めない。
【００１８】
前記のダイヤモンド象眼テンプル構造を含むめがねであるが、図１並びに図２に示すように、リム６とヒンジ７をも含む。リム６にレンズ１０を取り付けるし、智８とノーズパッド９を設けておく。ヒンジ７の両端はそれぞれテンプル本体１と智８を止める。同ダイヤモンド象眼テンプルのあるめがねにダイヤモンド２を嵌め込むことは、時間節約で省力で生産効率が高く、ダイヤモンド２がしっかり固定されて脱落し難い。
【００１９】
前記のダイヤモンド象眼テンプル構造に関わる象眼方法である。その手順は次のように示す。［１］一枚材料を選用する。本実施例に、１．２ｍｍのステンレス鋼板を使って、ガードル内径が５．０ｍｍｌの円形又は５．０ｍｍ×５．０ｍｍの正方形であるダイヤモンド２を選択して、テンプル本体１をワイヤーカット加工して、弾性部材３と第１保持部４・第２保持部５及び第１ノッチ４１・第２ノッチ５１を仕上げる。［２］第１保持部４と第２保持部５の距離を広めるように弾性部材３を外側へ曲がって、ダイヤモンド２のガードル２２を第１ノッチ４１と第２ノッチ５１に当てて、ダイヤモンド２が第１ノッチ４１又は第２ノッチ５１の真ん中に来るように、ダイヤモンド２を第１保持部４と第２保持部５の間におく。［３］ダイヤモンド２の相対的な位置を変えず、弾性部材３を緩めると、弾性部材３の弾性力の作用によって第１保持部４と第２保持部５がダイヤモンド２をしっかりクランプする。同象眼方法は、作業工程が簡単で、操作が便利で、生産効率が高い。
【図１】
0005877247.tif 000002
【図２】
0005877247.tif 000003
【図３】
0005877247.tif 000004
【図４】
0005877247.tif 000005
【図５】
0005877247.tif 000006